(57)【要約】    【課題】      ＭＡＰを作成する際の使い勝手を良くすること。    【解決手段】  カタログデータ書誌項目登録画面７００のカタログ内容表示欄７１０には、登録すべきイメージデータ等のカタログデータが表示される。参照する登録意匠の検索条件等をＫＥＹとなる意匠の確定欄７３０にて入力し、検索実行ボタン７４０を押下すると、検索結果一覧７５０に入力した検索ＫＥＹを満足する登録意匠の一覧が表示される。その内から参照する登録意匠があれば、それ指定すると、その登録意匠のデータがサーバ１からダウンロード等されて、その右の登録意匠表示欄７２０に表示されると共に、ダブルクリックにより指定した案件の独自ＫＥＹ項目が、カタログ内容表示欄７１０の右の独自ＫＥＹ項目欄７６０に表示される。これにより、カタログデータと、登録意匠データとを同一画面にて表示して管理することができ、使い勝手が向上する。  【選択図】      図７
2006113757.tif 000002
【特許請求の範囲】
【請求項１】
ＭＡＰ情報を登録するステップと、前記ＭＡＰ情報に知的財産権データを登録するステップと、前記ＭＡＰ情報に前記知的財産権データに関連する関連イメージデータを登録するステップと、前記ＭＡＰ情報に複数の独自ＫＥＹ項目を登録するステップと、前記独自ＫＥＹ項目のそれぞれについて選択可能な独自ＫＥＹ項目内容を登録するステップと、前記知的財産権データと前記関連イメージデータとのそれぞれの前記独自ＫＥＹ項目に前記独自ＫＥＹ項目内容を設定するステップと、前記ＭＡＰ情報を出力するステップとを備えたＭＡＰ管理方法。
【請求項２】
前記知的財産権データは特許、実用新案、意匠および商標の少なくとも１つの出願手続情報を電子化したテキストデータを有することを特徴とする請求項１記載のＭＡＰ管理方法。
【請求項３】
前記知的財産権データは書誌情報を含むことを特徴とする請求項１または２記載のＭＡＰ管理方法。
【請求項４】
前記関連イメージデータは書誌情報を登録できることを特徴とする請求項１ないし３のいずれかに記載のＭＡＰ管理方法。
【請求項５】
前記知的財産権データと前記関連イメージデータを対比して表示し、前記知的財産権データの書誌情報を参照しながら前記関連イメージデータの書誌情報を登録することを特徴とする請求項１ないし４のいずれかに記載のＭＡＰ管理方法。
【請求項６】
前記知的財産権データは特許、実用新案、意匠および商標の少なくとも１つに含まれる図面を電子化したイメージデータを有することを特徴とする請求項１ないし５にいずれかに記載のＭＡＰ管理方法。
【請求項７】
前記知的財産権データを登録するステップは、予め定められた規則で配置されたテキストデータを自動的に読み込んで登録することを特徴とする請求項１ないし６のいずれかに記載されたＭＡＰ管理方法。
【請求項８】
前記ＭＡＰ情報を出力するステップは、前記独自ＫＥＹ項目から任意に選択した項目を縦軸および横軸にして縦軸と横軸の交差する位置に条件を満たす前記知的財産権データおよび前記関連イメージデータの件数を表示する表を作成することを特徴とする請求項１ないし７のいずれかに記載のＭＡＰ管理方法。
【請求項９】
前記ＭＡＰ情報を出力するステップは、前記独自ＫＥＹ項目から任意に選択した項目を縦軸および横軸にして縦軸と横軸の交差する位置に条件を満たす前記知的財産権データおよび前記関連イメージデータの代表図を表示する表を作成することを特徴とする請求項１ないし７のいずれかに記載のＭＡＰ管理方法。
【請求項１０】
前記ＭＡＰ情報を出力するステップは、前記書誌情報および前記独自ＫＥＹ項目から任意に選択した項目を縦軸および横軸にして縦軸と横軸の交差する位置に条件を満たす前記知的財産権データおよび前記関連イメージデータの件数を表示する表を作成することを特徴とする請求項４ないし７のいずれかに記載のＭＡＰ管理方法。
【請求項１１】
前記ＭＡＰ情報を出力するステップは、前記書誌情報および前記独自ＫＥＹ項目から任意に選択した項目を縦軸および横軸にして縦軸と横軸の交差する位置に条件を満たす前記知的財産権データおよび前記関連イメージデータの代表図を表示する表を作成することを特徴とする請求項４ないし７のいずれかに記載のＭＡＰ管理方法。
【請求項１２】
前記縦軸および前記横軸のそれぞれに複数の項目を設定して段階的に前記縦軸および前記横軸の条件を設定して表を作成できることを特徴とする請求項８ないし１１のいずれかに記載のＭＡＰ管理方法。
【請求項１３】
前記ＭＡＰ情報を出力するステップは、前記縦軸および前記横軸に使用した項目による並び順を指定できることを特徴とする請求項８ないし１２のいずれかに記載のＭＡＰ管理方法。
【請求項１４】
前記縦軸および前記横軸のいずれかに書誌情報による関連付けを条件として設定できることを特徴とする請求項８ないし１３のいずれかに記載のＭＡＰ管理方法。
【請求項１５】
前記ＭＡＰ情報を出力するステップで画面に表示された代表図を選択することにより書誌情報の登録または修正を行うことを特徴とする請求項９ないし１４のいずれかに記載のＭＡＰ管理方法。
【請求項１６】
前記ＭＡＰ情報を出力するステップで画面に表示された第１の代表図を画面に表示された第２の代表図に移動させることにより、第２の代表図を有する前記知的財産権データまたは前記関連イメージデータの書誌情報をもとに第１の代表図を有する前記知的財産権データまたは前記関連イメージデータの書誌情報を自動的に登録または修正することを特徴とする請求項９または１５記載のＭＡＰ管理方法。
【請求項１７】
前記知的財産権データは意匠に関するデータであり、書誌情報による関連付けが本意匠と関連意匠と類似意匠との関連であることを特徴とする請求項４ないし１３のいずれかに記載のＭＡＰ管理方法。
【請求項１８】
前記知的財産権データおよび前記関連イメージデータはそれぞれ任意のイメージデータを代表図として設定することができることを特徴とする請求項１ないし１７のいずれかに記載のＭＡＰ管理方法。
【請求項１９】
前記関連イメージデータは、特許、実用新案、意匠および商標の少なくとも１つの出願手続情報をイメージデータとして有することを特徴とする請求項１ないし１８のいずれかに記載のＭＡＰ管理方法。
【請求項２０】
前記関連イメージデータは、前記知的財産権データの出願手続国または出願手続官庁以外に対する出願手続情報を有することを特徴とする請求項１ないし１９のいずれかに記載のＭＡＰ管理方法。
【請求項２１】
前記関連イメージデータは、前記知的財産権データに関連する商品の情報であることを特徴とする請求項１ないし２０のいずれかに記載のＭＡＰ管理方法。
【請求項２２】
ＭＡＰ情報を登録するステップと、前記ＭＡＰ情報に知的財産権データを登録するステップと、前記ＭＡＰ情報に前記知的財産権データに関連する関連イメージデータを登録するステップと、前記ＭＡＰ情報に複数の独自ＫＥＹ項目を登録するステップと、前記独自ＫＥＹ項目のそれぞれについて選択可能な独自ＫＥＹ項目内容を登録するステップと、前記知的財産権データと前記関連イメージデータとのそれぞれの前記独自ＫＥＹ項目に前記独自ＫＥＹ項目内容を設定するステップと、前記ＭＡＰ情報を出力するステップとをコンピュータに実行させるＭＡＰ管理プログラム。
【請求項２３】
ＭＡＰ情報を登録するＭＡＰ情報登録手段と、前記ＭＡＰ情報に知的財産権データを登録する知的財産権データ登録手段と、前記ＭＡＰ情報に前記知的財産権データに関連する関連イメージデータを登録する関連イメージデータ登録手段と、前記ＭＡＰ情報に複数の独自ＫＥＹ項目を登録する独自ＫＥＹ項目登録手段と、前記独自ＫＥＹ項目のそれぞれについて選択可能な独自ＫＥＹ項目内容を登録する独自ＫＥＹ項目内容登録手段と、前記知的財産権データと前記関連イメージデータとのそれぞれの前記独自ＫＥＹ項目に前記独自ＫＥＹ項目内容を設定する独自ＫＥＹ項目内容設定手段と、前記ＭＡＰ情報を出力するＭＡＰ情報出力手段とを備えたＭＡＰ管理装置。
【発明の詳細な説明】
【技術分野】
【０００１】
本発明は、特許等の出願手続きに関する知的財産権情報や、これらの知的財産権情報に関連する商品等の情報を管理するＭＡＰ管理方法、ＭＡＰ管理プログラムおよびＭＡＰ管理装置に関する。
【背景技術】
【０００２】
近年コンピュータとネットワークの発達により、様々な文書がデジタルデータ化されて保存蓄積されるようになってきている。特許出願文書も、特許庁の電子出願の推進によりデジタルデータ化が進んでいる文書の１つである。
【０００３】
ところで、特許出願等に関連する文書には、願書や明細書、意見書、補正書などの特許庁へ提出する文書のほか、多くの企業では、その発明にかかわった人々（多くの場合発明者）の氏名とその所属、発明者からの提案書、さらにその発明に関する契約や製品などの情報が書類として整備・保管されている。
【０００４】
なお、以下、本明細書では、これら国内外の特許に関連する文書を特許関連文書と称するが、ここでは、特許や特許出願に関連する文書のほか、実用新案、商標、意匠 などに関連する文書をも含めて特許関連文書と称する。
【０００５】
しかしながら、従来、明細書のように特許庁へ電子出願文書として提出する（あるいは提出された）データ以外の、特許関連文書の多くは、ペーパーによる帳簿や書類として、保存管理されていることが多く、一部の企業ではこれらをデジタルデータ化して管理している場合もあるが、それらは互いに別々のデジタルデータとして保存されているだけで、一元的な管理はなされていないのが現状である。
【０００６】
そのため、発明部門欄、知的財産部欄、先行技術欄、技術データ欄、提案書欄、明細書欄、書誌的事項欄、および契約事項欄等を１画面上に表示して、特許、実用新案、商標、意匠 などの知的財産権に関連する文書を一元管理するようにした従来装置がある（例えば、特許文献１参照）。
【特許文献１】特開２００２−１１７２１５号公報
【発明の開示】
【発明が解決しようとする課題】
【０００７】
しかしながら、上述の従来装置では、特許や意匠等における提案書等のテキストデータや、図面等のイメージデータを単に電子データとして一元管理しているに過ぎず、その特許や意匠等と関連するデータを用いてのマップ（ＭＡＰ）の作成の仕方や、メンテナンスの仕方については、何ら触れられてなく、ＭＡＰを作成する際の使い勝手が良くない、という課題がある。
【０００８】
そこで、本発明は、特許、実用新案、意匠、商標等の知的財産権に関するＭＡＰの作成、管理、検索を容易に行うことができるＭＡＰ管理方法、ＭＡＰ管理プログラムおよびＭＡＰ管理装置を提供することを目的としている。
【課題を解決するための手段】
【０００９】
本発明のＭＡＰ管理方法は、ＭＡＰ情報を登録するステップと、ＭＡＰ情報に知的財産権データを登録するステップと、ＭＡＰ情報に知的財産権データに関連する関連イメージデータを登録するステップと、ＭＡＰ情報に複数の独自ＫＥＹ項目を登録するステップと、独自ＫＥＹ項目のそれぞれについて選択可能な独自ＫＥＹ項目内容を登録するステップと、知的財産権データと関連イメージデータとのそれぞれの独自ＫＥＹ項目に独自ＫＥＹ項目内容を設定するステップと、ＭＡＰ情報を出力するステップとを備える。
【００１０】
この方法により、知的財産権データと関連イメージデータとを用いたＭＡＰの作成を行うことができる。
【００１１】
また、本発明のＭＡＰ管理方法の知的財産権データは特許、実用新案、意匠および商標の少なくとも１つの出願手続情報を電子化したテキストデータを有する。
【００１２】
この方法により、知的財産権データの出願手続情報を用いたＭＡＰの作成が可能となる。
【００１３】
さらに、本発明のＭＡＰ管理方法の知的財産権データは書誌情報を含む。
【００１４】
この方法により、出願日や出願人、発明者、分類などを利用したＭＡＰの作成が可能となる。
【００１５】
さらに、本発明のＭＡＰ管理方法の関連イメージデータは書誌情報を登録できる。
【００１６】
この方法により、知的財産権データではない関連イメージデータも知的財産権データと同様に集計などの処理が可能となる。
【００１７】
さらに、本発明のＭＡＰ管理方法の知的財産権データと関連イメージデータを対比して表示し、知的財産権データの書誌情報を参照しながら関連イメージデータの書誌情報を登録する。
【００１８】
この方法により、関連する知的財産権データの書誌情報を確認しながら関連イメージデータへの書誌情報を登録することができる。
【００１９】
さらに、本発明のＭＡＰ管理方法の知的財産権データは特許、実用新案、意匠および商標の少なくとも１つに含まれる図面を電子化したイメージデータを有する。
【００２０】
この方法により、イメージデータによる対比が可能となり、関連する知的財産権情報の選択が容易になる。
【００２１】
さらに、本発明のＭＡＰ管理方法の知的財産権データを登録するステップは、予め定められた規則で配置されたテキストデータを自動的に読み込んで登録する。
【００２２】
この方法により、書誌情報などの電子的に取得可能な情報は容易に登録することができる。
【００２３】
さらに、本発明のＭＡＰ管理方法のＭＡＰ情報を出力するステップは、独自ＫＥＹ項目から任意に選択した項目を縦軸および横軸にして縦軸と横軸の交差する位置に条件を満たす知的財産権データおよび関連イメージデータの件数を表示する表を作成する。
【００２４】
この方法により、任意の項目による集計が可能となる。
【００２５】
さらに、本発明のＭＡＰ管理方法のＭＡＰ情報を出力するステップは、独自ＫＥＹ項目から任意に選択した項目を縦軸および横軸にして縦軸と横軸の交差する位置に条件を満たす知的財産権データおよび関連イメージデータの代表図を表示する表を作成する。
【００２６】
この方法により、項目による数の集計のみでなく内容を図で表示することにより、理解が容易な表を作成することができる。
【００２７】
さらに、本発明のＭＡＰ管理方法のＭＡＰ情報を出力するステップは、書誌情報および独自ＫＥＹ項目から任意に選択した項目を縦軸および横軸にして縦軸と横軸の交差する位置に条件を満たす知的財産権データおよび関連イメージデータの件数を表示する。
【００２８】
この方法により、独自情報のみでなく書誌情報による集計も可能となる。
【００２９】
さらに、本発明のＭＡＰ管理方法のＭＡＰ情報を出力するステップは、書誌情報および独自ＫＥＹ項目から任意に選択した項目を縦軸および横軸にして縦軸と横軸の交差する位置に条件を満たす知的財産権データおよび関連イメージデータの代表図を表示する。
【００３０】
この方法により、独自情報のみでなく書誌情報によってイメージデータを内容とする表を出力することができる。
【００３１】
さらに、本発明のＭＡＰ管理方法の縦軸および横軸のそれぞれに複数の項目を設定して段階的に縦軸および横軸の条件を設定して表を作成できる。
【００３２】
この方法により、複数の項目による段階的な集計を行うことができる。
【００３３】
さらに、本発明のＭＡＰ管理方法のＭＡＰ情報を出力するステップは、縦軸および横軸に使用した項目による意に並び順を指定できること。
【００３４】
この方法により、作表に利用した項目以外の項目での並べ替えも可能となり、柔軟な表作成が可能となる。
【００３５】
さらに、本発明のＭＡＰ管理方法の縦軸および横軸のいずれかに書誌情報による関連付けを条件として設定できる。
【００３６】
この方法により、定型の書誌事項を用いた一般的な表を作成することができる。
【００３７】
さらに、本発明のＭＡＰ管理方法のＭＡＰ情報を出力するステップで画面に表示された代表図を選択することにより書誌情報の登録または修正を行う。
【００３８】
この方法により、縦軸横軸でグルーピングされた画面表示から修正対象を容易に選択することができる。
【００３９】
さらに、本発明のＭＡＰ管理方法のＭＡＰ情報を出力するステップで画面に表示された第１の代表図を画面に表示された第２の代表図に移動させることにより、第２の代表図を有する知的財産権データまたは関連イメージデータの書誌情報をもとに第１の代表図を有する知的財産権データまたは関連イメージデータの書誌情報を自動的に登録または修正する。
【００４０】
この方法により、修正すべき関連イメージデータの書誌情報を自動的に登録または修正することができる。
【００４１】
さらに、本発明のＭＡＰ管理方法の知的財産権データは意匠に関するデータであり、書誌情報による関連付けが本意匠と関連意匠と類似意匠との関連であること。
【００４２】
この方法により、意匠における出願手続情報を関連付けて把握することが可能となり、複数に対して処理を行うべきものの対象を把握することができる。
【００４３】
さらに、本発明のＭＡＰ管理方法の知的財産権データおよび関連イメージデータはそれぞれ任意のイメージデータを代表図として設定することができる。
【００４４】
この方法により、出願人が代表図として設定したもの以外を代表図とでき、ＭＡＰ全体で統一した種類の図を利用して整合させることができる。
【００４５】
さらに、本発明のＭＡＰ管理方法の関連イメージデータは、特許、実用新案、意匠および商標の少なくとも１つの出願手続情報をイメージデータとして有する。
【００４６】
この方法により、電子出願以前の紙の出願手続情報も電子出願したものと同様の管理を行うことができる。
【００４７】
さらに、本発明のＭＡＰ管理方法の関連イメージデータは、知的財産権データの出願手続国または出願手続官庁以外に対する出願手続情報を有する。
【００４８】
この方法により、知的財産権データの出願手続国以外の国や官庁に対する出願手続情報も同様の管理を行うことができる。
【００４９】
さらに、本発明のＭＡＰ管理方法の関連イメージデータは、知的財産権データに関連する商品の情報である。
【００５０】
この方法により、出願情報に関する実際の商品の情報も同様の管理を行うことが可能となり、広範囲な知的財産権の管理が可能となる。
【発明の効果】
【００５１】
本発明によれば、知的財産権データと、その知的財産権データに関連する関連イメージデータとを同一内容のデータとして蓄積・管理するために、両データを対象とする検索を可能とし、その検索結果は利用者が設定した様式の統計表に数値情報として表示されるため、検索回答結果の確認が極めて容易なものとなり、また検索回答結果からＭＡＰ表示対象を任意に指定できるため、利用者が必要とする検索結果のみに限定したＭＡＰの作成が可能となり、さらに、検索結果を利用者が必要とする情報とするため、検索対象データを利用者自身が設定・登録可能とするなど、利用者が知的財産権に関するＭＡＰを効率よく、しかも目的に応じた内容で作成することができる。
【発明を実施するための最良の形態】
【００５２】
以下、本発明の実施の形態を、図面を参照しながら具体的に説明する。
【００５３】
図１は、本発明の実施の形態に係るＭＡＰ管理装置が適用されるＭＡＰシステムの全体を示す図である。
【００５４】
図１に示すように、このＭＡＰシステムは、ネットワーク３を介して、サーバ１と、ＭＡＰ管理装置２とが接続されている。
【００５５】
サーバ１は、特許や実用新案、意匠、商標などの公報データを含む知的財産権データや、インターネット上からダウンロードしたり、カタログ等をスキャナで読み取る等した関連イメージデータ等を記憶して、配信するものである。
【００５６】
ＭＡＰ管理装置２は、ＣＰＵ２１と、メモリ２２と、ＣＰＵ２１を動作するためのＭＡＰ管理プログラム等が格納されたハードディスク２３と、表示部２４と、キーボードやマウス等の入力装置２５と、通信インターフェース２６等とを有している。本実施の形態では意匠に関するＭＡＰ作成を例として説明する。
【００５７】
次に、このＭＡＰ管理装置２の動作を説明する。
【００５８】
図２は、このＭＡＰ管理装置２の動作であるＭＡＰ作成方法の手順を示すフローチャートを表示した初期画面の一例を示す図である。
【００５９】
ハードディスク２３等に格納されたＭＡＰ管理プログラムが起動して、ＣＰＵ２１がそのＭＡＰ管理プログラムを実行すると、ＭＡＰ作成方法の手順を示すフローチャートを示すメニュー表示欄２１０が表示された初期画面２００が表示部２４に表示される。なお、メニュー表示欄２１０の右欄のスペースには、“作業内容をフローボタンから選択してください”等のユーザの処理を案内するメッセージが表示されている。
【００６０】
このメニュー表示欄２１０は、ＭＡＰ作成方法の手順を示すフローチャートを示すだけでなく、各ステップがボタンになっており、各ボタンを押下すると、各ステップの処理を実行するように、プログラムされている。
【００６１】
つまり新規ＭＡＰの作成・登録ボタン２１１を押下することにより、新規マップの作成および登録処理を行う。
【００６２】
その一方、登録済ＭＡＰへの知的所有権データや、知的所有権データに関連するイメージデータ等のデータの追加登録を行う場合には、既存ＭＡＰへのデータ追加登録ボタン２１２を押下することにより既存ＭＡＰへのデータ追加登録処理を行い、次いで後述するように独自ＫＥＹ項目の管理（メンテナンス）ボタン２１３を押下することにより独自ＫＥＹ項目の管理（メンテナンス）処理を行う。
【００６３】
そして、新規ＭＡＰの作成・登録の場合も、登録済みＭＡＰへのデータ追加登録の場合も、双方とも、ＭＡＰへの独自ＫＥＹ項目内容の登録ボタン２１４を押下することによりＭＡＰへの独自ＫＥＹ項目内容登録処理を行い、次いでＭＡＰの出力ボタン２１５を押下することによりＭＡＰの出力処理を行う。
【００６４】
次いで、登録済みＭＡＰの管理処理として、必要あれば、ＭＡＰの名称訂正／削除ボタン２１６を押下することによりＭＡＰの名称訂正／削除処理を行い、また、ＭＡＰの削除ボタン２１７を押下することによりＭＡＰの削除処理を行う。
【００６５】
さらに、出力様式の変更処理として、必要あれば、一覧表様式の変更ボタン２１８を押下することにより一覧表様式の変更処理を行い、また、ＭＡＰ出力様式の変更ボタン２１９を押下することによりＭＡＰの出力様式の変更処理を行う。
【００６６】
そして、このＭＡＰ作成処理終了したい場合には、作業終了ボタン２２０を押下する。
【００６７】
図３は、新規ＭＡＰの作成処理の際の画面の一例を示す図である。
【００６８】
この新規ＭＡＰ作成画面３００は、新規に作成するＭＡＰの名称を登録する画面で、図２に示すメニュー表示欄２１０の新規ＭＡＰの作成・登録ボタン２１１を押下した場合に表示される画面であり、新規ＭＡＰの作成・登録ボタン２１１をユーザがマウス等の入力装置２５により選択して押下すると、まず、登録済みのＭＡＰが読み出されて、登録済みＭＡＰ一覧３１０に表示される。
【００６９】
そして、新規ＭＡＰを登録する場合には、登録済みＭＡＰ一覧３１０の空欄に、新規ＭＡＰの名称を記入して、登録ボタン３１１を押下することにより、登録される。
【００７０】
図４は、新規ＭＡＰ作成の際、前記新規データの登録の次ぎの作業として行う独自ＫＥＹ項目の登録画面の一例を示す図である。
【００７１】
この独自ＫＥＹ項目の登録画面４００は、独自ＫＥＹ項目と、その内容を入力、訂正、削除する画面であり、前記登録済みＭＡＰ一覧３１０で指定したＭＡＰの名称がＭＡＰ名称欄４１０に表示され、さらに同ＭＡＰに登録された独自ＫＥＹ項目の内容が独自ＫＥＹ項目一覧４２０に表示される。ここで、独自ＫＥＹ項目とは、ＭＡＰ作成の対象である意匠の特徴等を示すキーワードのようなもので、複数の独自ＫＥＹ項目をユーザ自身の観点より任意に設定し、登録するものである。
【００７２】
独自ＫＥＹ項目一覧４２０において、例えば、独自ＫＥＹ項目の(1)の欄には独自ＫＥＹ項目名として「全体の形状」が登録され、ＭＡＰに設定できる独自ＫＥＹ項目の内容として、「三角形」、「斜め３５度」、「四角形」、「まる形」の４項目が登録されていることを示している。
【００７３】
そして、独自ＫＥＹ項目と、独自ＫＥＹ項目の内容を新規に登録する場合には、直接、ユーザが入力装置２５により入力することができ、入力の後、独自ＫＥＹ項目内容の登録ボタン４３０を押下する。
【００７４】
なお、独自ＫＥＹ項目を変更する場合、例えば、「全体の形状」等の変更すべき独自ＫＥＹ項目にレ点等のチェック印をつけて選択し、その右欄にて、独自ＫＥＹ項目名の入力または訂正を行うと共に、「三角形」や「斜め３５度」等の独自ＫＥＹ項目の内容をも確認し、変更があればその内容に変更後、登録ボタン４３０を押下することにより変更することができる。
【００７５】
また、独自ＫＥＹ項目を削除する場合、変更する場合と同様に、例えば、「全体の形状」等の削除すべき独自ＫＥＹ項目にレ点等チェック印をつけて選択し、その右欄にて、「三角形」や「斜め３５度」等の独自ＫＥＹ項目の内容を確認して、独自ＫＥＹ項目削除ボタン４５０を押すことにより、その選択した「全体の形状」等の独自ＫＥＹ項目を削除することができる。
【００７６】
最後に、独自ＫＥＹ項目の登録終了ボタン４４０を押下すれば、この独自ＫＥＹ項目の登録処理は終了する。
【００７７】
図５は、既に登録済のＭＡＰに設定されている独自ＫＥＹ項目を選択し、その内容をそのまま登録する場合、一部を変更する場合、または不要な部分を削除する場合に使用する画面の一例を示す図である。
【００７８】
この処理は、独自ＫＥＹ項目の登録画面４００において、登録済独自ＫＥＹ項目参照ボタン４６０を押下することに始まる。
【００７９】
つまり、登録済独自ＫＥＹ項目参照ボタン４６０を押下すると、他のＭＡＰの独自ＫＥＹ項目を参照する独自ＫＥＹ項目参照画面５００がウインドウ形式により表示されるので、独自ＫＥＹ項目参照画面５００のＭＡＰ参照欄５１０にて、参照する登録済みＭＡＰの独自ＫＥＹ項目名を選択する。
【００８０】
すると、独自ＫＥＹ項目参照画面５００の独自ＫＥＹ項目一覧５２０に、ＭＡＰ参照欄５１０にて選択されたＭＡＰの独自ＫＥＹ項目名が表示されるので、参照する、すなわちコピーしたい独自ＫＥＹ項目があれば、選択確定ボタン５３０を押下すると、前記ＭＡＰ参照欄５１０に表示された独自ＫＥＹ項目を独自ＫＥＹ項目の登録画面４００の独自ＫＥＹ項目一覧４２０にコピーすることができる。
【００８１】
このように、ＭＡＰの参照画面５００を読み出し、他のＭＡＰの独自ＫＥＹ項目の一覧の項目を参照してコピーすることにより、独自ＫＥＹ項目の内容が他のＭＡＰとの間でずれないようにすることができ、さらに同一内容の再入力を無くすことができる。
【００８２】
次に、既存ＭＡＰへの知的財産権データ等のテキストデータ(ＣＳＶデータ)、イメージデータ(カタログデータ)の追加登録処理について詳細に説明する。
【００８３】
図６は、既存ＭＡＰにＣＳＶデータ・カタログデータを登録する場合の画面の一例を示す。
【００８４】
この既存ＭＡＰ追加登録画面６００は、図２に示すメニュー表示欄２１０の既存ＭＡＰへのデータの追加登録ボタン２１２を押下した際に表示されるものであり、既存ＭＡＰへのデータの追加登録ボタン２１２を押下すると、メニュー表示欄２１０の右に登録済みＭＡＰ一覧６４０が表示される。
【００８５】
そして、その登録済みＭＡＰ一覧６４０にて、チェック印をつけて追加すべきＭＡＰ名称を選択し、ＭＡＰ確定ボタン６１０を押下して、データ登録のＣＳＶデータボタン６２０を押下すると、登録することができる。
【００８６】
ここで、例えば、登録済みＭＡＰ一覧６４０の一列目に表示されている「２０００年〜２００３年までの登録（ＴＯ社）、（ＳＨ社）」を選択して、これに新たなＣＳＶデータを追加する場合を選択したものとする。
【００８７】
なお、１つのＭＡＰへのデータ登録件数はあらかじめユーザが任意に設定することができ、例えば２０００件に設定されている場合、登録件数が２０００件を超えた時点で「合計がＭＡＸの２０００件を超えることになるため、追加できないので、「新規登録」としてデータを追加登録して下さい。」等のメッセージ画面が表示される。この場合、新規追加対象データは、新規ＭＡＰとして別登録することになる。
【００８８】
さらに、カタログデータを追加登録する場合は、メニュー表示欄２１０の既存ＭＡＰへのデータの追加登録ボタン２１２を押下し、登録済みＭＡＰ一覧６４０にて、チェック印をつけて追加すべきＭＡＰ名称を選択し、ＭＡＰ確定ボタン６１０を押下して、データ登録のカタログデータボタン６３０を押下した場合は、そのＭＡＰにカタログデータを次の図７に示すように追加することができる。
【００８９】
図７は、カタログデータの書誌項目を登録する場合の画面の一例を示す。
【００９０】
このカタログデータ書誌項目登録画面７００は、既存ＭＡＰ追加登録画面６００にて、登録済みＭＡＰ一覧６４０のカタログデータボタン６３０が押下された場合に表示される画面であり、このカタログデータ書誌項目登録画面７００のカタログ内容表示欄７１０には、登録すべきカタログデータの図面データが表示される。
【００９１】
そして、同一ＭＡＰ内にすでに登録されている登録意匠を参照して書誌項目を入力したい場合には、参照する登録意匠を検索するための条件等をＫＥＹとなる意匠の確定欄７３０に入力し、検索実行ボタン７４０を押下すると、検索結果一覧７５０に、入力した検索ＫＥＹを満足する登録意匠の一覧が表示される。
【００９２】
そして、検索結果一覧７５０に表示された登録意匠の内から、カタログ内容表示欄７１０に表示されたカタログデータに最も似データり、意匠権者が同一であったり、物品名が同一等より参照する登録意匠を選択し、その登録意匠をダブルクリックすると、その登録意匠の図面データが登録意匠表示欄７２０に表示されると共に、ダブルクリックにより選択した案件の独自ＫＥＹ項目が、カタログ内容表示欄７１０の右の独自ＫＥＹ項目欄７６０に表示される。これにより、選択した登録意匠の書誌項目内容とカタログデータとを比較し、カタログデータの書誌項目の登録内容を決定する。
【００９３】
なお、検索結果一覧７５０にて選択した登録意匠を変えれば、それに応じた登録意匠の図面データが登録意匠表示欄７２０に表示されることになる。
【００９４】
そして、ユーザが登録ボタン７７０を押下すると、カタログ内容表示欄７１０に表示されたカタログデータと、登録意匠表示欄７２０に表示された参照する登録意匠とを、関連するデータとして登録することができる。
【００９５】
これにより、本装置では、カタログデータと、参照する登録意匠データとを同一画面上に同時に表示して独自項目、書誌項目を比較しながら登録することができるので、ユーザの使い勝手が向上することになる。
【００９６】
次に、独自ＫＥＹ項目の訂正処理について詳細に説明する。
【００９７】
図８は、独自ＫＥＹ項目を訂正する場合の画面の一例を示す。
【００９８】
この独自ＫＥＹ項目訂正画面８００は、図２に示すメニュー表示欄２１０の独自ＫＥＹ項目の管理（メンテナンス）ボタン２１３を押下した際に表示されるものであり、独自ＫＥＹ項目の管理（メンテナンス）ボタン２１３を押下すると、メニュー表示欄２１０の横に、登録済みＭＡＰ一覧８３０が表示される。
【００９９】
ＭＡＰ一覧８３０には、登録済みのＭＡＰの名称一覧が表示されるので、チェック印により独自ＫＥＹ項目を訂正すべきＭＡＰを選択して、ＭＡＰ確定ボタン８１０を押下し、さらに独自ＫＥＹ項目訂正ボタン８２０を押下することにより、選択したＭＡＰの独自ＫＥＹ項目名を訂正することができる。
【０１００】
図９は、独自ＫＥＹ項目名、独自ＫＥＹ項目内容を訂正、削除する場合の画面の一例を示す。
【０１０１】
この独自ＫＥＹ項目訂正登録画面９００は、図８に示す独自ＫＥＹ項目訂正画面８００にて、独自ＫＥＹ項目訂正ボタン８２０が押下された場合に表示される画面である。
【０１０２】
この独自ＫＥＹ項目訂正登録画面９００の独自ＫＥＹ項目一覧９１０において、独自ＫＥＹ項目名、例えば、「全体の形状」等の独自ＫＥＹ項目を、チェック印により選択すると、独自ＫＥＹ項目名入力／訂正欄９２０に、選択された独自ＫＥＹ項目名が表示される一方、独自ＫＥＹ項目の内容欄９３０に、選択された独自ＫＥＹ項目の内容である「三角形」や「四角形」等の独自ＫＥＹ項目の内容が表示される。尚、ＭＡＰ名称欄９４０には、独自ＫＥＹ項目を修正しようしているＭＡＰの名称が表示される。
【０１０３】
また、登録済のＭＡＰの独自ＫＥＹ項目を参照する場合には、登録済独自項目参照ボタン９８０を押下すると、図１０に示すように、独自ＫＥＹ項目参照画面１０００がウインドウ形式で現れるので、ＭＡＰ参照欄１０１０にて独自ＫＥＹ項目を参照すべきＭＡＰ名を選択し、さらに独自ＫＥＹ項目一覧１０２０にてその独自ＫＥＹ項目を確認して、参照すべき独自ＫＥＹ項目があれば、選択確定ボタン１０３０を押下して、独自ＫＥＹ項目訂正登録画面９００の独自ＫＥＹ項目一覧９１０にコピーすることもできる。
【０１０４】
なお、登録済のＭＡＰの独自ＫＥＹ項目を削除する場合には、独自ＫＥＹ項目一覧９１０にて削除すべき独自ＫＥＹ項目を選択して、独自ＫＥＹ項目削除ボタン９９０を押下することにより削除することができる。
【０１０５】
そして、独自ＫＥＹ項目の訂正後、独自ＫＥＹ項目内容の登録ボタン９５０を押下すれば、訂正した独自ＫＥＹ項目を登録することができる。なお、独自ＫＥＹ項目の登録終了ボタン９７０を押下すれば、独自ＫＥＹ項目の訂正処理が終了する。
【０１０６】
次に、ＭＡＰへの独自ＫＥＹ項目付与処理について詳細に説明する。
【０１０７】
図１１は、ＭＡＰへの独自ＫＥＹ項目付与処理を行う場合の開始画面の一例を示す。
【０１０８】
この独自ＫＥＹ項目付与開始画面１１００は、メニュー表示欄２１０のＭＡＰへの独自ＫＥＹ項目内容の登録ボタン２１４が押下された場合に表示される画面で、独自ＫＥＹ項目内容の登録ボタン２１４が押下されると、メニュー表示欄２１０の右に、ＭＡＰ一覧１１３０が表示される。
【０１０９】
このＭＡＰ一覧１１３０には、登録済みＭＡＰ名称の一覧が表示されるので、チェック印によりＭＡＰを選択して、ＭＡＰ確定ボタン１１１０を押下し、独自ＫＥＹ項目付与ボタン１１２０を押下することにより、ＭＡＰへ独自ＫＥＹ項目を付与することができる。
【０１１０】
図１２は、ＭＡＰへの独自ＫＥＹ項目付与と、カタログデータの書誌項目訂正処理を行う場合の画面の一例を示す。
【０１１１】
この独自ＫＥＹ項目付与処理画面１２００は、図１１に示す独自ＫＥＹ項目付与開始画面１１００の独自ＫＥＹ項目付与ボタン１１２０が押下された場合に表示される画面である。
【０１１２】
この独自ＫＥＹ項目付与処理画面１２００には、例えば、「冷蔵庫意匠登録」というＭＡＰに登録されている全案件の一覧表がＭＡＰの登録案件一覧１２１０に表示される。なお、一覧表の表示内容は、物品の名称と共に、“公報”や“カタログ”等のＤＢの内容、登録番号、出願番号、意匠に係る物品名、意匠権者、意匠分類、独自ＫＥＹ等の項目が表示される。なお、この一覧表に表示されている項目は後述するようにユーザが任意に選択することができる。
【０１１３】
そして、登録案件一覧１２１０の中で、ＫＥＹとなる意匠の基準案件番号、例えば、“３”を入力し、確定ボタン１２２０を押下すると、ＫＥＹとなる意匠表示欄１２３０に、確定されたＫＥＹとなる意匠の図面データが表示される。なお、その下の次図面ボタン１２３１を押下すれば、ＫＥＹとなる意匠表示欄１２３０に表示されているＫＥＹとなる意匠の図面データが、例えば、正面図から右側面図、左側面図、下面図、・・・というように、次々と切り替わり表示され、独自ＫＥＹ項目登録時に表示されている図面データが本件意匠の代表図面として登録される。また、公報表示ボタン１２３２を押下すれば、そのＫＥＹとなる登録意匠の意匠公報が、ＫＥＹとなる意匠表示欄１２３０に表示される。
【０１１４】
同様に、ＫＥＹとなる意匠表示欄１２３０の右隣には、本件意匠の表示欄１２４０が設けられており、本件意匠の表示欄１２４０には、登録案件一覧１２１０にて選択された本件意匠の図面データが表示され、その下の次図面ボタン１２４１を押下すれば、本件意匠のイメージデータが、例えば、正面図から右側面図、左側面図、下面図、・・・というように、次々と切り替わり表示され、独自ＫＥＹ項目登録時に表示されている図面データが本件意匠の代表図面として登録される。また、公報表示ボタン１２４２を押下すれば、その本件意匠の意匠公報が、本件意匠の表示欄１２４０に表示される。
【０１１５】
そして、この独自ＫＥＹ項目付与処理画面１２００には、さらに、独自ＫＥＹ項目入力欄１２５０が設けられており、独自ＫＥＹ項目入力欄１２５０には、ＫＥＹとなる基準案件である意匠の独自ＫＥＹ項目や、その独自ＫＥＹ項目内容が表示されると共に、その独自ＫＥＹ項目を訂正または修正できるように、各独自ＫＥＹ項目の内容が表示される。さして、ＫＥＹとなる基準案件である意匠を参照しながら本件意匠の独自ＫＥＹ項目を訂正または修正したい場合は、キーボード等の入力装置２５により修正または訂正を行い、その後、登録ボタン１２５２を押下して訂正や修正を登録することができる。
【０１１６】
図１３は、ＫＥＹとなる基準案件である意匠や本件意匠の書誌項目を訂正または修正したい場合の画面の一例を示す。
【０１１７】
この書誌項目／独自ＫＥＩ項目入力画面１３００は、図１２に示す独自ＫＥＹ項目付与処理画面１２００にて書誌項目訂正ボタン１２５１が押下された場合に表示される画面であり、カタログ内容表示欄１３１０には、独自ＫＥＹ項目等の書誌項目を訂正または入力すべき対象案件であるカタログの図面データやカタログデータ等が表示される一方、その横の書誌項目入力欄１３２０には、その対象案件の独自ＫＥＹ項目等の書誌項目の内容が表示される。
【０１１８】
そして、同一ＭＡＰ内にすでに登録されている登録意匠を参照して書誌項目を入力したい場合には、参照する登録意匠を検索するための条件等を意匠の確定欄１３３０に入力し、検索実行ボタン１３４０を押下すると、検索結果一覧１３５０に、入力した検索を満足する登録意匠の一覧が表示される。
【０１１９】
そして、検索結果一覧１３５０に表示された登録意匠の内から、ユーザがカタログ内容表示欄１３１０に表示されたカタログデータ等に最も似ていたり、意匠権者が同一であったり、または物品名が同一等の理由により、参照する登録意匠を選択し、その登録意匠をダブルクリック等して指定すると、その登録意匠の図面データが登録意匠表示欄１３６０に表示されると共に、ダブルクリックにより選択した案件の書誌項目が、カタログ内容表示欄１３１０の右の書誌項目入力欄１３２０に表示される。これにより、選択した登録意匠の書誌項目内容とカタログデータとを比較し、カタログデータの書誌項目の登録内容を決定する。
【０１２０】
なお、検索結果一覧１３５０にて選択した登録意匠を変えれば、それに応じた登録意匠の図面データが登録意匠表示欄１３６０に表示されることになる。
【０１２１】
そして、ユーザが登録ボタン１３７０を押下すると、カタログ内容表示欄１３１０に表示されたカタログデータと、登録意匠表示欄１３６０に表示された登録意匠とを、関連するデータとして登録することができる。
【０１２２】
これにより、本装置では、カタログデータと、登録意匠データとを同一画面上に同時に表示して書誌項目を比較しながら登録することができるので、ユーザの使い勝手が向上することになる。
【０１２３】
次に、ＭＡＰの作成処理について詳細に説明する。
【０１２４】
図１４は、ＭＡＰの作成処理を行う場合の画面の一例を示す。
【０１２５】
このＭＡＰ作成開始画面１４００は、メニュー表示欄２１０のＭＡＰの出力ボタン２１５を押下した場合に表示される画面であり、ＭＡＰの出力ボタン２１５を押下すると、メニュー表示欄２１０の右欄に、登録済みＭＡＰ一覧３１０が表示される。
【０１２６】
このため、登録済みＭＡＰ一覧３１０にて、ＭＡＰ名を確認しながらチェック印によりＭＡＰを選択して、ＭＡＰ確定ボタン１４１０を押下することにより、ＭＡＰ作成処理が開始する。
【０１２７】
図１５は、ＭＡＰ作成の際の検索条件入力処理を行う場合の画面の一例を示す。
【０１２８】
このＭＡＰ作成画面１５００では、例えば、「冷蔵庫意匠登録」というＭＡＰを選択し、ＭＡＰを作成する場合を示しており、検索対象欄１５１０にて、意匠登録データか、カタログデータかいずれか指示し、検索対象データとして登録できるようになっている。なお、意匠登録データ、カタログデータの両方を指示したまたは指示しない場合は、両方のデータを検索対象データとする。
【０１２９】
また、検索条件欄１５２０において、対象データの絞込み条件として、期間の種別や、範囲、条件等の検索条件を入力する一方、表示内容欄１５３０には、検索回答結果を統計表形式で表示するための条件を横軸、縦軸、作表順の欄に入力する。
【０１３０】
またさらに、検索式一覧１５４０には、保存されている検索式が表示されているので、保存されている検索式のうちから呼び出したい検索式をチェック印によりチェックして、検索式呼出ボタン１５５０を押下することにより、検索条件欄１５２０および表示内容欄１５３０に呼び出された検索式の内容が表示される。これにより、検索式等の検索条件の入力の手間が大いに省略でき、使い勝手が良くなる。
【０１３１】
そして、検索実行ボタン１５８０が押下されれば、検索条件欄１５２０および表示内容欄１５３０に設定された内容で、検索が実行される。
【０１３２】
なお、検索条件欄１５２０および表示内容欄１５３０に直接ユーザが入力したり、検索式一覧１５４０から選択した検索式を保存する場合には、検索式保存欄１５６０にて保存する検索式の名称を入力すると共に、検索式保存ボタン１５７０を押下して、検索式を保存することにする。
【０１３３】
図１６は、ＭＡＰ作成画面１５００にて検索実行ボタン１５８０が押下された場合の検索結果の画面の一例を示す。
【０１３４】
この検索結果画面１６００では、図１５に示すＭＡＰ作成画面１５００の検索条件欄１５２０および表示内容欄１５３０に入力または設定された検索式および表示内容がその検索条件欄１６１０および表示内容欄１６２０に表示されると共に、その検索結果が検索結果欄１６３０に統計表形式で表示される。
【０１３５】
そして、検索回答結果について、さらに絞込検索を実行したい場合には、検索結果欄１６３０にて絞込検索範囲を指定し、絞込検索ボタン１６５０を押下する。
【０１３６】
なお、検索結果欄１６３０に表示された検索結果についての一覧表を見たい場合、検索結果の一部を見たい場合は個別案件表示ボタン１６６０を、全部を見たい場合は、全件一覧表示ボタン１６７０を押下する。
【０１３７】
また、最初の検索条件を変更したい場合には、検索画面に戻るボタン１６８０を押下すると、ＭＡＰ作成画面１５００が表示される。
【０１３８】
図１７は、検索結果画面１６００にて絞込検索ボタン１６５０が押下された場合の再検索実行画面の一例を示す。
【０１３９】
この再検索実行画面１７００はウインドウ形式で重ねて表示されて現れるので、さらに絞り込みするための条件を検索対象欄１７１０、検索条件欄１７２０、および表示内容欄１７３０に、意匠登録データまたはカタログデータの検索対象や、検索条件、表示内容を入力して、検索実行ボタン１７４０を押下することにより、検索結果画面１６００の検索結果欄１６３０にて指定した絞込検索範囲にて、絞込検索を実行することができる。
【０１４０】
図１８は、ＭＡＰ作成の際の表示範囲を指定する場合の画面の一例を示す。
【０１４１】
この検索結果画面１８００では、検索条件欄１８１０と、表示内容欄１８２０における検索条件および表示条件に基づいて検索された検索結果が検索結果欄１８３０に統計表形式で表示されており、その検索結果欄１８３０において特定の表示範囲を指定したり、あるいは全範囲を表示範囲として指定することができる。また、検索結果欄１８３０に表示された結果について、再度絞り込み検索を行いたい場合は、その範囲を指定し絞込検索ボタン１８４０を押下すれば、指定した範囲での再検索を行うことができる。
【０１４２】
また、検索結果欄１８３０において特定の表示範囲を指定して個別案件表示ボタン１８５０を押下することにより、指定した特定の表示範囲のみを個別に表示したり、検索結果欄１８３０において全範囲を表示範囲として指定して全件一覧表示ボタン１８６０を押下することにより、検索結果の一覧表示をすることができる。
【０１４３】
また、メニューに戻るボタン１８７０を押下すれば、メニュー表示欄２１０に表示された例えば図２に示す初期画面２００等の画面に戻ることができる一方、検索画面に戻るボタン１８８０を押下すれば、図１５に示すＭＡＰ作成画面１５００等に戻ることが出来る。
【０１４４】
図１９は、図１８に示す検索結果画面１８００にて個別案件表示ボタン１８５０または全件一覧表示ボタン１８６０を押下した場合に表示される検索結果一覧表の画面の一例を示す。
【０１４５】
この検索結果一覧表画面１９００では、検索結果欄１９１０に、図１８に示す検索結果画面１８００の検索結果欄１８３０において、特定の表示範囲や、全範囲を表示範囲として指定し、個別案件表示ボタン１８５０または全件一覧表示ボタン１８６０により指示された検索範囲の検索結果一覧表が表示される。
【０１４６】
そのため、ユーザは、入力装置２５により、検索結果欄１９１０において、ＭＡＰを表示したい案件にチェック印を入力する。
【０１４７】
なお、選択した案件の書誌項目を表示したい場合は、表示ボタン１９２０を押下し、あるいは選択し案件の登録公報を表示したい場合は、公報ボタン１９３０を押下することによりそれぞれのデータが表示される。
【０１４８】
また、選択した案件の電子データを出力したい場合は、ファイル出力ボタン１９４０を押下することにより、電子データを出力することもできる。
【０１４９】
そして、ＭＡＰの作成を指示する場合は、タイトル・メモ欄１９５０に、作成しようとするＭＡＰのタイトルを入力、必要に応じてメモを入力し、さらに、作表指示欄１９６０にて、作成しようとするＭＡＰのタイプを選択し、該当ＭＡＰのチェック欄にチェック印を入力して、作表ボタン１９７０を押下することにより、ＭＡＰの作成指示が終了する。
【０１５０】
図２０は、本装置により作成された出願種別別のＭＡＰ画面の一例を示す図である。
【０１５１】
この出願種別別のＭＡＰ画面２０００には、そのタイトル名と共に、出願の種類、すなわち、意匠の場合で説明しているので、縦軸に本意匠、関連意匠、類似意匠、カタログという種別毎に、各登録意匠の図面データが表示される。
【０１５２】
なお、同ＭＡＰに表示されている案件の書誌項目や、独自項目を確認したい場合には、その各登録意匠の図面データをダブルクリックすることにより、後述するようにその内容を確認することができる。
【０１５３】
また、画面印刷ボタン２０１０を押下することにより、表示されているＭＡＰを印刷することができる。さらに、ファイル出力ボタン２０２０を押下することにより、表示されているＭＡＰを表の形式を保持した電子ファイルとして出力することができる。
【０１５４】
図２１は、本装置により作成された権利者別のＭＡＰ画面の一例を示す図である。
【０１５５】
この権利者別のＭＡＰ画面２１００には、そのタイトル名と共に、権利者別、すなわち、ＭＡ社、ＨＩ社、ＴＯ社、ＳＡ社、・・・等の権利者別に、各登録意匠の図面データが表示される。
【０１５６】
そして、出願種別別のＭＡＰ画面２０００の場合と同様に、同ＭＡＰに表示されている案件の書誌項目や、独自項目を確認したい場合には、その各登録意匠の図面データをダブルクリックすることにより、後述するように確認することができる。
【０１５７】
また、画面印刷ボタン２１１０を押下することにより、表示されているＭＡＰを印刷することができる。さらに、ファイル出力ボタン２１２０を押下することにより、表示されているＭＡＰを表の形式を保持した電子ファイルとして出力することができる。
【０１５８】
図２２は、本装置により作成された一覧表ＭＡＰ画面の一例を示す図である。
【０１５９】
この一覧表ＭＡＰ画面２２００では、図２０に示す出願種別別のＭＡＰ画面２０００や、図２１に示す権利者別のＭＡＰ画面２１００とは異なり、縦軸および横軸の条件を指定せず、作成されたＭＡＰで各登録意匠の図面データが表示される。
【０１６０】
そして、出願種別別のＭＡＰ画面２０００の場合と同様に、同ＭＡＰに表示されている案件の書誌項目や、独自項目を確認したい場合には、その各登録意匠の図面データをダブルクリックすることにより、後述するように確認することができる。
【０１６１】
また、画面印刷ボタン２２１０を押下することにより、表示されているＭＡＰを印刷することができる。さらに、ファイル出力ボタン２２２０を押下することにより、表示されているＭＡＰを表の形式を保持した電子ファイルとして出力することができる。
【０１６２】
図２３は、図２０〜図２２のいずれに示すＭＡＰ画面からＭＡＰがダブルクリック等により指定されて表示される独自ＫＥＹ項目内容の登録画面の一例を示す図である。
【０１６３】
この書誌項目／独自ＫＥＩ項目入力画面２３００では、登録案件一覧２３１０において、書誌項目の訂正または入力をしたい対象案件を指示すると、本件意匠表示欄２３２０に対象案件意匠の図面等のイメージデータが表示される。
【０１６４】
そして、ＫＥＹとなる意匠確定欄２３３０に、ＫＥＹとなる基準案件番号を入力して、確定ボタン２３４０を押下すると、ＫＥＹとなる意匠表示欄２３５０に、指定されたＫＥＹとなる意匠の図面等のイメージデータが表示されると共に、独自ＫＥＹ項目入力欄２３６０に、基準案件の独自ＫＥＹ項目やその内容が表示される。
【０１６５】
ここで、ＫＥＹとなる意匠や、対象案件意匠において他の図面、例えば、正面図から側面図をみたい場合には、それぞれ、次図面ボタン２３５１，２３２１を押下すれば良いし、それらの意匠の登録公報を見たい場合には、公報表示ボタン２３５２，２３２２を押下する。
【０１６６】
また、対象案件意匠において書誌内容の訂正等の必要があれば、書誌内容訂正欄２３７０にて、書誌内容の訂正内容を入力して、書誌項目訂正ボタン２３８０を押下すれば良い。
【０１６７】
そして、最後に、この内容を登録する場合には、登録ボタン２３９０を押下する。
【０１６８】
図２４は、対象案件の書誌項目を訂正／入力する場合の画面の一例を示す図である。
【０１６９】
この書誌項目／独自ＫＥＹ項目入力画面２４００では、対象案件表示欄２４１０に対象案件であるカタログデータ等の図面データが表示されると、その横の書誌項目入力欄２４２０に、その対象案件であるカタログデータ等の書誌内容が表示されるので、書誌項目入力欄２４２０に対象案件の書誌項目を直接訂正または入力することができる。
【０１７０】
また、他の案件の書誌項目を参照して訂正または入力したい場合には、ＫＥＹとなる意匠の確定欄２４３０に、検索ＫＥＹとして検索条件を入力して、検索実行ボタン２４４０を押下する。
【０１７１】
すると、検索結果一覧２４５０に、その検索結果の一覧が表示されるので、さらにこの検索結果の一覧から参照案件をダブルクリック等して選択すると、参照する登録意匠表示欄２４６０に、検索結果一覧２４５０にて選択された参照案件の図面等のイメージデータが表示される。
【０１７２】
このため、ユーザは、その図面等のイメージデータを参照して、対象案件表示欄２４１０に表示された対象案件の書誌内容の確認を行い、訂正があれば、その訂正内容を書誌項目入力欄２４２０に入力する。
【０１７３】
そして最後に、この内容を登録する場合には、登録ボタン２４７０を押下する。
【０１７４】
次に、ＭＡＰの名称訂正／削除処理について、詳細に説明する。
【０１７５】
図２５は、ＭＡＰの名称訂正／削除処理する場合の画面の一例を示す図である。
【０１７６】
このＭＡＰ名称訂正／削除画面２５００は、メニュー表示欄２１０のＭＡＰの名称訂正／削除ボタン２１６が押下された場合に表示される画面で、ＭＡＰの名称訂正／削除ボタン２１６が押下されると、メニュー表示欄２１０の右に、登録済みＭＡＰ名称の一覧が掲載されたＭＡＰ一覧３１０が表示されると共に、ＭＡＰ廃棄ボタン２５１０と、ＭＡＰ名称変更ボタン２５２０とが表示される。
【０１７７】
そのため、ＭＡＰ一覧３１０にて、名称を訂正／削除する登録済みＭＡＰをチェック印により選択して、ＭＡＰ廃棄ボタン２５１０を押下すれば、そのＭＡＰは削除できる。
【０１７８】
その一方、ＭＡＰ一覧３１０にて、名称を訂正／削除する登録済みＭＡＰをチェック印により選択して、変更後のＭＡＰ名を入力し、ＭＡＰ名称変更ボタン２５２０を押下すれば、そのＭＡＰの名称を変更することができる。
【０１７９】
次に、ＭＡＰの案件削除処理について、詳細に説明する。
【０１８０】
図２６は、ＭＡＰの案件削除処理する際の開始画面の一例を示す図である。
【０１８１】
このＭＡＰの案件削除開始画面２６００は、メニュー表示欄２１０のＭＡＰの削除ボタン２１７が押下された場合に表示される画面で、この削除ボタン２１７が押下されると、メニュー表示欄２１０の右に、登録済みＭＡＰ名称の一覧が掲載されたＭＡＰ一覧３１０が表示されると共に、ＭＡＰ案件削除処理のための案件表示ボタン２６１０が表示される。
【０１８２】
そのため、登録済みＭＡＰ一覧３１０にて、ＭＡＰの案件を削除すべきＭＡＰを、チェック印により選択して、案件表示ボタン２６１０を押下すれば、そのＭＡＰに登録されている案件が表示される。
【０１８３】
図２７は、案件表示ボタン２６１０の押下により表示されるＭＡＰの案件削除処理の画面の一例を示す図である。
【０１８４】
このＭＡＰの案件削除処理画面２７００には、ＭＡＰ名称等と共に、登録ＭＡＰ一欄２７１０にそのＭＡＰに登録されているＭＡＰが表示されている。
【０１８５】
次に、削除対象のＭＡＰをダブルクリック等して選択すると、選択された案件の意匠図面データが本件意匠表示欄２７２０に表示されると共に、その意匠の独自ＫＥＹ項目の内容が、独自ＫＥＹ項目表示欄２７３０に表示される。
【０１８６】
そして、個別削除ボタン２７４０を押下すれば、選択したＭＡＰを削除することができる。
【０１８７】
次に、出力様式の一つである一覧表様式の変更処理について、詳細に説明する。
【０１８８】
図２８は、一覧表様式を変更処理する場合の画面の一例を示す図である。
【０１８９】
一覧表様式変更開始画面２８００は、図２に示すメニュー表示欄２１０のＭＡＰの一覧表様式の変更ボタン２１８が押下された場合に表示される画面である。
【０１９０】
この一覧表様式変更画面２８００では、作成したいマップデータの対処案件を表示する一覧表の出力様式を変更するためのものであり、現行の一覧表の表示順が現行表示順欄２８１０に表示されると共に、現行の表示対象となっている書誌項目がその下の現行表示項目欄２８２０に表示されている。
【０１９１】
また、その右には、表示順の対象となる蓄積項目が表示順欄２８３０に表示されると共に、出力様式の対象となる蓄積項目がその下の現行表示項目欄２８４０に表示されている。
【０１９２】
そのため、現行表示項目２８２０の現行表示項目として書誌項目の一覧が表示されているので、その書誌項目の一覧より必要な項目を選択して、その選択後、入れ替えボタン２８５０をクリックすることにより、一覧表様式を変更することができる。そして最後に、確定ボタン２８６０を押下すれば、一覧表様式の変更を確定することができる。
【０１９３】
次に、ＭＡＰ様式の変更処理について、詳細に説明する。
【０１９４】
図２９は、ＭＡＰ様式を変更処理する場合の画面の一例を示す図である。
【０１９５】
このＭＡＰ様式変更画面２９００は、図２に示すメニュー表示欄２１０においてＭＡＰ出力様式の変更ボタン２１９が押下された場合に表示される画面であり、ＭＡＰの様式変更の対象として、作成したＭＡＰのタイトルと、現行のＭＡＰの表示内容である、横軸や、複数の縦軸、複数の作表順等の設定内容が、それぞれタイトル欄２９１０と、現行設定内容欄２９２０とに表示される。
【０１９６】
そして、変更内容入力欄２９３０にて、変更すべきＭＡＰ名称を選択すると共に、変更すべきＭＡＰ様式であるＭＡＰの横軸や、複数の縦軸、複数の作表順等を順次入力し、実行ボタン２９４０を押下すれば、ＭＡＰ様式を変更することができる。
【０１９７】
以上のように、本実施の形態によれば、登録意匠の図面データや公報データ等のテキストデータと共に、その登録意匠に関連するカタログデータ等のイメージデータを同一のデータベースに登録することにより、これらのデータに対して共通したデータ（書誌項目・独自ＫＥＹ項目）を蓄積・管理することができるので、同一条件での検索や表示指定が可能となる。
【０１９８】
さらに、検索回答結果を従来の一覧表形式から統計表形式に変更したことにより、使用者は検索回答結果を使用者自身が指定した条件に基づく数値情報として視覚的に把握することが可能となり、かつ使用者自身が必要とする情報を的確に得ることができる。
【０１９９】
また、独自ＫＥＹ項目は使用者自身の目的等に応じて任意に設定し、登録できるため、これら登録されたデータを検索対照とし、使用者固有の要求に応じたＭＡＰの作成が可能となる。
【０２００】
さらに、独自ＫＥＹ項目の付与については、基準とする意匠データの内容を参照しながら登録可能としているために、前記独自ＫＥＹ項目の付与レベルを常に一定に保った状態での作業が行え、またその内容をコピーしたり、一部訂正することにより、登録可能としているために、独自ＫＥＹ項目の付与作業が効率よくスムーズに行える。
【０２０１】
なお、以上の説明では、知的財産権データとして、意匠を一例に説明したが、本発明では、これに限られず、特許や、実用新案、商標などの場合も、特許データや、実用新案データ、商標データを用いてもよい。
【０２０２】
また、知的財産権データに関連するデータとして、カタログ等の商品情報や技術文献情報等のイメージデータを用いてもよい。
【０２０３】
さらに、公報データ等のテキストデータと、登録意匠の図面データやその登録意匠に関連するカタログデータ等のイメージデータとが混在した場合について説明したが、公報データ等のテキストデータと登録意匠の図面データのみや、カタログデータ等のイメージデータのみのデータを対象としてもよい。
【産業上の利用可能性】
【０２０４】
本発明に係るＭＡＰ管理装置、ＭＡＰ作成方法、およびＭＡＰ管理プログラムによれば、知的財産権の登録や検索、分析などの管理に有用である。
【図面の簡単な説明】
【０２０５】
【図１】本発明の実施の形態に係るＭＡＰ管理装置が適用される意匠ＭＡＰシステムの全体を示す図
【図２】このＭＡＰ管理装置の動作であるＭＡＰ作成方法の手順を示すフローチャートを表示した初期画面の一例を示す図
【図３】新規ＭＡＰの作成処理の際の画面の一例を示す図
【図４】新規ＭＡＰ作成の際、前記新規データの登録の次ぎの作業として行う独自ＫＥＹ項目の登録画面の一例を示す図
【図５】既に登録済のＭＡＰに設定されている独自ＫＥＹ項目を選択し、その内容をそのまま登録する場合、一部を変更する場合、または不要な部分を削除する場合に使用する画面の一例を示す図
【図６】既存ＭＡＰにＣＳＶデータ・カタログデータを登録する場合の画面の一例を示す図
【図７】カタログデータの書誌項目を登録する場合の画面の一例を示す図
【図８】独自ＫＥＹ項目を訂正する場合の画面の一例を示す図
【図９】独自ＫＥＹ項目名、独自ＫＥＹ項目内容を訂正、削除する場合の画面の一例を示す図
【図１０】登録済独自項目参照ボタンが押下された場合に現れる画面の一例を示す図
【図１１】ＭＡＰへの独自ＫＥＹ項目付与処理を行う場合の開始画面の一例を示す図
【図１２】ＭＡＰへの独自ＫＥＹ項目付与と、カタログデータの書誌項目訂正処理を行う場合の画面の一例を示す図
【図１３】ＫＥＹとなる基準案件である意匠や本件意匠の書誌項目を訂正または修正したい場合の画面の一例を示す図
【図１４】ＭＡＰの作成処理を行う場合の画面の一例を示す図
【図１５】ＭＡＰ作成の際の検索条件入力処理を行う場合の画面の一例を示す図
【図１６】ＭＡＰ作成画面にて検索実行ボタンが押下された場合の検索結果の画面の一例を示す図
【図１７】検索結果画面にて絞込検索ボタンが押下された場合の再検索実行画面の一例を示す図
【図１８】ＭＡＰ作成の際の表示範囲を指定する場合の画面の一例を示す図
【図１９】図１８に示す表示範囲指定画面にて個別案件表示ボタンまたは全件一覧表示ボタンを押下した場合に表示される検索結果一覧表の画面の一例を示す図
【図２０】本装置により作成された出願種別別のＭＡＰ画面の一例を示す図
【図２１】本装置により作成された権利者別のＭＡＰ画面の一例を示す図
【図２２】本装置により作成された一覧表ＭＡＰ画面の一例を示す図
【図２３】書誌項目／独自ＫＥＩ項目入力画面の一例を示す図
【図２４】対象案件の書誌項目を訂正／入力する場合の画面の一例を示す図
【図２５】ＭＡＰの名称訂正／削除処理する場合の画面の一例を示す図
【図２６】ＭＡＰの案件削除処理する際の開始画面の一例を示す図
【図２７】案件表示ボタンの押下により表示されるＭＡＰの案件削除処理の画面の一例を示す図
【図２８】一覧表様式を変更処理する場合の画面の一例を示す図
【図２９】ＭＡＰ様式を変更処理する場合の画面の一例を示す図
【符号の説明】
【０２０６】
１  サーバ
２  ＭＡＰ管理装置
３  ネットワーク
【図１】
2006113757.tif 000003
【図２】
2006113757.tif 000004
【図３】
2006113757.tif 000005
【図４】
2006113757.tif 000006
【図５】
2006113757.tif 000007
【図６】
2006113757.tif 000008
【図７】
2006113757.tif 000009
【図８】
2006113757.tif 000010
【図９】
2006113757.tif 000011
【図１０】
2006113757.tif 000012
【図１１】
2006113757.tif 000013
【図１２】
2006113757.tif 000014
【図１３】
2006113757.tif 000015
【図１４】
2006113757.tif 000016
【図１５】
2006113757.tif 000017
【図１６】
2006113757.tif 000018
【図１７】
2006113757.tif 000019
【図１８】
2006113757.tif 000020
【図１９】
2006113757.tif 000021
【図２０】
2006113757.tif 000022
【図２１】
2006113757.tif 000023
【図２２】
2006113757.tif 000024
【図２３】
2006113757.tif 000025
【図２４】
2006113757.tif 000026
【図２５】
2006113757.tif 000027
【図２６】
2006113757.tif 000028
【図２７】
2006113757.tif 000029
【図２８】
2006113757.tif 000030
【図２９】
2006113757.tif 000031